(57)【特許請求の範囲】
【請求項１】
三角以上の多角形、円形または、楕円形の合成樹脂製シートの一端から中心に向けて切り込みを設け、該切り込みの両サイド近傍部に固定手段を設け、
前記合成樹脂製シートの周縁の少なくとも一部に、該シート同志を結合する固定手段を設けてなることを特徴とする果菜用簡易ハウス。
【請求項２】
合成樹脂製シートが、厚さ０．０９〜０．１７ｍｍで、全光線透過率８５〜９３％、散乱光率３８〜４８％、保湿率８８〜９３％であることを特徴とする請求項１記載の果菜用簡易ハウス。
【請求項３】
合成樹脂シートの少なくとも一部に、紫外線及び／又は赤外線遮蔽フィルムを積層してなることを特徴とする請求項１又は２記載の果菜用簡易ハウス。
【請求項４】
紫外線及び／又は赤外線遮蔽シートが、合成樹脂製シートの周縁の少なくとも一部に設けられた該シート同志を結合する固定手段を使用して、着脱自在に積層されることを特徴とする請求項３記載の果菜用簡易ハウス。
【発明の詳細な説明】
【技術分野】
【０００１】
本発明は、果菜や草花等用の簡易ハウスに関し、特に、高価な資材はもとより、人手や期間を要する煩雑な施工が不要であり、また広い設置面積も不要であって、高齢者をはじめ、未熟者や素人であっても極めて容易に、しかも必要とするときに何時でも何処にでも、取り付けることができる果菜や草花等の栽培に適した簡易ハウスに関する。
【背景技術】
【０００２】
農業用ビニルハウスは、一般に、広大な敷地に、金属製のパイプや板状体からなる骨材をハウス状に組み立てて骨組みを作り、該骨組みに沿って合成樹脂シート（フィルム）を張設したものが多数知られている（例えば、特開２０１０−６８７８０等）。
また、近年、簡易なビニルハウスの要請が高まり、上記合成樹脂シートの固定手段が改良されたり、該シートの風によるばたつきを防止するための手段が工夫されたりしている（例えば、特開２００５−１７６６５４等）。
これらの他にも、温度制御システムが組み込まれた農業用ビニルハウス（特開２０１１−２０５９４８等）や、骨組みに改良が施されたハウス（特開２０１２−２３９６９等）が知られている。
【０００３】
これら従来の農業用ハウスは、いずれも大がかりな設備であり、膨大な資材はもとより、広大な敷地が必要であり、勿論、専門の設備組立業者により、長期間を要して組み立てられ、資金も膨大となる。
【０００４】
一方、果菜、例えばトマトを路地で栽培するに際して、実が生育しつつある途上で、そのままの状態（紫外線の照射を直接受けるなどの状態）にすると、ヘタから割れが発生し、この割れ（いわゆる“ヘタ割れ”）は、実の表面を経てヘタの反対側にまで及んだり、ときには実の内側深部にまで及ぶこともあり、トマトの実の外観を阻害するのみならず、この割れから病原菌が繁殖したり害虫が実内部に入り込むなどの重大な被害が発生する。このような被害が無くても、トマトの皮が硬くなったり、色やけが発生するなどの弊害が生じることもある。
また、例えば、ブドウ、ナシ、リンゴ、メロン等の果物にあっては、実の生育途上で害虫や野鳥の食害がある。
【０００５】
これらを防ぐために、前記した農業用ハウスを建設する資金が無い場合等においては、従来から、紙やプラスチックフィルム（シート）を袋状に加工したものを果菜の実に被せることが、広く行われて来た。
但し、近年、このような袋の製造・販売は一般には行われておらず、使用したい場合には、自ら作成し、かつ果菜の１つずつに被せる作業を余儀なくされている。
【０００６】
また、一旦、袋を被せてしまうと、上記のような弊害は排除できるものの、例えば、花が咲いた状態で袋を被せる作業を行ってしまうと、虫による受粉は一切不可能になり、人の手のよる受粉を、しかも折角被せた袋を外して行い、受粉後には再度袋の被せ作業を行わねばならず、厄介な手間が掛かることとなる。従って、袋を被せて上記の害を防ぐ場合は、実がある程度生育した状態で行わねばならず、場合によっては、既に病原菌が侵入した後や、害虫の卵が産みつけられた後に袋被せ作業を行うこととなり、袋を被せた状態であっても害虫や病原菌による被害を受けることとなる。
しかも、プラスチック袋の場合は、袋内でムレが発生し、害虫や病原菌の生育を却って助長することがある。
【先行技術文献】
【特許文献】
【０００７】
【特許文献１】特開２０１０−６８７８０
【特許文献２】特開特開２００５−１７６６５４
【特許文献３】特開２０１１−２０５９４８
【特許文献４】特開２０１２−２３９６９
【発明の概要】
【発明が解決しようとする課題】
【０００８】
本発明は、上記の農業用ハウスにおける問題はもとより、古くから行われてきた袋被せにある問題を悉く解決し、低コストで、簡易な操作により、誰でも、必要とするときに何時でも何処にでも、取り付けることができる果菜や草花等の栽培に適した簡易ハウスを提供することを課題とする。
【課題を解決するための手段】
【０００９】
本発明の果菜や草花等用の簡易ハウスは、（１）三角以上の多角形、円形または、楕円形の合成樹脂製シートの一端から中心に向けて切り込みを設け、該切り込みの両サイド近傍部に着脱自在の固定手段を設けると共に、上記合成樹脂製シートの周縁の少なくとも一部に、該シート同志を着脱自在に結合する固定手段を設けてなることを特徴とする。
（２）上記の合成樹脂製シートは、厚さ０．０９〜０．１７ｍｍで、全光線透過率８５〜９３％、散乱光率３８〜４８％、保湿率８８〜９３％であってよく、（３）上記合成樹脂シートの少なくとも一部には、紫外線及び／又は赤外線遮蔽フィルムを積層してもよく、（４）また、上記（３）の紫外線及び／又は赤外線遮蔽シートを、着脱自在に積層するに際しては、上記（４）の固定手段を使用してもよい。
【発明の効果】
【００１０】
本発明の果菜あるいは草花等用の簡易ハウスは、資材は、基本的には、合成樹脂シートと該シートを着脱自在に固定するための手段のみでよく、従って極めて安価に該ハウスを、該ハウスを必要とする果菜に取り付けることができる。
また、本発明の果菜や草花等用簡易ハウスは、上記の固定手段により簡易にハウスを取り付けることができるため、一般的な農業用ビニルハウスを構築する場合の人手や期間を要する煩雑な施工は一切不要であり、また広い設置面積も不要であって、高齢者をはじめ、未熟者や素人であっても極めて容易に、しかも必要とするときに何時でも何処にでも、取り付けることができる。
【図面の簡単な説明】
【００１１】
【図１】（Ａ）〜（Ｅ）は、本発明の果菜・草花等用簡易ハウスの基本構成の一例を示す説明図である。
【図２】図１（Ａ）に示す簡易ハウスの一使用態様例を説明するための図である。
【図３】図１（Ａ）に示す簡易ハウスの周辺に、該ハウスの構成材である合成樹脂シート同志を着脱自在に結合するための手段を設ける場合の一例を示す説明図である。
【図４】図３に示す簡易ハウスの使用態様例を説明するための図である。
【図５】（Ａ）〜（Ｃ）は、図１（Ａ）に示す簡易ハウスの一部に紫外線及び／又は赤外線遮蔽シートを設ける場合の一例を示す説明図である。
【発明を実施するための形態】
【００１２】
図１（Ａ）〜（Ｅ）は本発明の果菜用簡易ハウスの構成例を示しており、同図（Ａ）は、四角形の合成樹脂シート１の一端１ｐから該シート１の中心１ｃに向けて切り込み２を設け、該切り込み２の両サイド近傍部に固定手段（本例では、面ファスナー）３，３を設けたものであり、同図（Ｂ）は、六角形の合成樹脂シート１１の一端１１ｐから該シート１１の中心１１ｃに向けて切り込み１２を設け、該切り込み１２の両サイド近傍部に固定手段としての面ファスナー３，３を設けたものであり、同図（Ｃ）は、円形の合成樹脂シート２１の一端２１ｐから該シート１１の中心２１ｃに向けて切り込み２２を設け、該切り込み２２の両サイド近傍部に固定手段としての面ファスナー３，３を設けたものであり、同図（Ｄ）は、楕円形の合成樹脂シート３１の一端３１ｐから該シート３１の中心３１ｃに向けて切り込み３２を設け、該切り込み３２の両サイド近傍部に固定手段としての面ファスナー３，３を設けたものであり、同図（Ｅ）は、三角形の合成樹脂シート４１の一端４１ｐから該シート４１の中心４１ｃに向けて切り込み４２を設け、該切り込み４２の両サイド近傍部に固定手段としての面ファスナー３，３を設けたものである。
なお、図１（Ａ），（Ｂ），（Ｅ）では、四角形，六角形，三角形の各角部１ｐ，１１Ｐ，４１ｐから各中心１ｃ，１１ｃ，４１ｃに向けて切り込み１ｃ，１１ｃ，４１ｃを設けているが、これらの多角形の適宜の辺の一部（一端部）から各中心に向けて切り込みを設けてよいことは言うまでもない。
上記の切り込み２，１２，２２，３２，４２は、合成樹脂シートの１，１１，２１，３１，４１の一方の面の表面積にもよるが、一般には、最長で一端部１ｐ、１１ｐ，２１ｐ，３１ｐ，４１ｐから中心１ｃ，１１ｃ，２１ｃ，３１ｃ，４１ｃまで、最短でこの最長の１／５程度とするが、取り扱い上や作業上の便宜の観点や強度の面から最長の１／３程度とすることが好ましい。
【００１３】
例えば図１（Ａ）〜（Ｅ）に示す本発明の簡易ハウス１００における合成樹脂シート１，１１，２１，３１，４１は、厚みが０．０９〜０．１７ｍｍで、全光線透過率８５〜９３％、散乱光率３８〜４８％、保湿率８８〜９３％であることが好ましい。
上記範囲の厚みを有するシートであれば、果菜等への取り付け作業が容易となり、熟練を要することなく、誰でも簡単に目的の箇所へ取り付けることができるのみならず、本発明の簡易ハウスの加工も容易となり、安価に簡易ハウスを製造することができる。
また、上記範囲の全光線透過率および散乱光率を有していれば、果菜や草花が生育する上で必要な光線量を該シートを透過させて果菜や草花に照射すると共に、茎割れや日焼け（例えば、実の色の悪化や果肉の劣化）等の悪影響を及ぼす部分の光を良好に遮蔽することができる。
さらに、上記範囲の保湿性（シート自重の８８〜９３％重量の水分を保有することができる性質）を有していれば、降雨時等に、本発明のハウス下で生育しつつある果菜あるいは草花等に、該シートを透過して雨が直接当たることがないばかりか、該シートに保持された水分が高温の晴天時等に蒸発するため、本発明のハウス下の雰囲気を果菜や草花等の生育に適した温度に保持することもできる。
【００１４】
上記のように構成される本発明の簡易ハウスは、例えば図１（Ａ）に示す簡易ハウス１００の場合、例えば、図２に示すようにして使用される。
すなわち、先ず、図２（Ａ）に示すように、ハウス１００の切り込み２を開き、この開いた部分に果菜や草花の茎（図２（Ｂ）のＫ）もしくは果菜や草花の支持柱を挟み、該切り込みの両サイド近傍部に設けられている面ファスナー３，３同志を接触させて固定する。
果菜がトマトの場合は、例えば図２（Ｂ）に示すように、トマトの実Ｔ，Ｔ・・・を合成樹脂シート１が覆うように、該実Ｔ，Ｔ，・・・が成っている部分近傍の茎Ｋを、上記の切り込み２の開いた部分で挟み込み、面ファスナー３，３で固定すればよい。
なお、図２（Ｂ）は、トマトの実Ｔ，Ｔ・・・がある程度生育した状態を示しているが、本発明の簡易ハウス１００を取り付ける時期は、トマトの実Ｔ，Ｔ・・・が直径１〜２ｃｍぐらいの時に取り付けることが好ましい。２ｃｍ以上に生育した後で取り付けるのでは、実Ｔ，Ｔ・・・が既に紫外線の悪影響を受けて茎割れ等が発生してしまうからである。
【００１５】
図３は、本発明における簡易ハウスの他の構成例を示す図であり、ここでは、図１（Ａ）に示す基本的なハウス１００の応用（変形）例について説明する。
図３（Ａ）において、図１（Ａ）と同一符号は図１（Ａ）と同一機能部を示しており、Ｊはハウス１００の構成材である合成樹脂製シート１の周縁の少なくとも一部（本例では、面ファスナー３，３を設けてある部分を除く四周全て）に、該シート同志を結合する固定手段Ｊ，Ｊ，Ｊ，Ｊを設けている。
図３（Ｂ）は、図３（Ａ）のハウス１００の構成材である合成樹脂シート１と結合する他のハウス１００′の構成材である合成樹脂シート１′を示しており、この例では該シート１′の四周全てに固定手段Ｊ′，Ｊ′，Ｊ′，Ｊ′を設けている。
固定手段Ｊ，Ｊ，Ｊ，Ｊ及びＪ′，Ｊ′，Ｊ′，Ｊ′は、例えば、合成樹脂製袋の開口部を開閉自在に閉じる合成樹脂製ジッパー、いわゆるプラスチック袋用チャックで、本発明のハウス１００の本体と同程度の光線透過性等を有する合成樹脂製のものが好適に使用でき、シートＳとシートＳ′がこのジッパーＪ，Ｊ，Ｊ，ＪとＪ′，Ｊ′，Ｊ′，Ｊ′により着脱自在に固定される。
なお、図３（Ａ），（Ｂ）の例では、シート１及び１′にそれぞれ４つの固定手段Ｊ，Ｊ，Ｊ，Ｊ及びＪ′，Ｊ′，Ｊ′，Ｊ′を設けているが、四角形に連続する１つの固定手段であってもよい。
【００１６】
また、図３の例では、面ファスナー３，３付きのシート１と該ファスナーの無いシート１′とを結合する場合を示しているが、面ファスナー３，３付きのシート１，１同志を結合するようにジッパーを設けて該シート１，１を結合してもよいし、あるいは面ファスナー３，３付きシート１の二周、あるいは三又は四周に該ファスナーの無いシート１′を結合してもよいことは言うまでもない。
もちろん、四角形の合成樹脂シート同志の結合に限らず、図示はしないが、四角形と三角形あるいは六角形の合成樹脂シートを結合してもよいし、六角形と三角形の合成樹脂シート、六角形同志や三角形同志の合成樹脂シートを結合するようにしてもよい。
さらには、図１（Ｃ），（Ｄ）に示す円形や楕円形、あるいは図１（Ｂ）や（Ｅ）に示す六角形や三角形の簡易ハウスの場合も、同様に、周囲に扇形等適宜の形状の合成樹脂シート（図示省略）を結合するようにジッパー等の固定手段を設けることもできる。
【００１７】
上記のように構成される図３の簡易ハウス１００は、例えば図４に示すようにして使用される。本例では、簡易ハウス１００，１００′を、上下左右方向に計６枚結合させた場合を示しており、本発明に係る簡易ハウス１００は上段の両端部に１枚ずつと下段の中央部に１枚の計３枚を使用し、これらのハウス１００をハウス１００′で結合させて使用している。
本例のように結合することにより、例えば、数本のトマトを本発明のハウスで覆うことができる。
もちろん、覆う対象によっては、面ファスナー３，３を備えた簡易ハウス１００を、図４の例では６枚全てに使用することが便宜な場合もあるし、あるいは図４の６枚中、どれか１枚のみが面ファスナー３，３を備えた簡易ハウス１００であることが便宜な場合もあるし、２枚もしくは４枚が面ファスナー３，３を備えた簡易ハウス１００であることが便宜な場合もあり、結合態様は本発明における簡易ハウス１００の使用対象に応じて適宜選定することができる。
【００１８】
図５は、図１（Ａ）に示す簡易ハウス１００の一部に紫外線及び／又は赤外線遮蔽シートを設ける場合の例を示しており、図５（Ａ）は縞（ボーダー）状に該シート１０を設ける場合の例、図５（Ｂ）は格子（チェック）状に設ける場合の例、図５（Ｃ）は水玉（ドット）状に設ける場合の例を示しているが、もちろん、図示はしないが、簡易ハウス１００の全面もしくは切り込み２と面ファスナー３，３の除く部分の全面（以下、単に全面と記す）に上記該シート１０を設けても良い（なお、図５（Ａ）〜（Ｃ）では説明の便宜上該シート１０を黒塗りで示しているが、実際は可視光線が透過するいわゆる透明シートである）。
【００１９】
上記のシート１０は、紫外線及び／又は赤外線の１０〜９０％程度、好ましくは３０〜７０％程度遮蔽する合成樹脂シートが使用され、該シート１０は、ハウス１００の構成材である合成樹脂シート１上に、プリント、その他の適宜のラミネート手法により、予め、積層しておいてもよいし、図３に示すような固定手段Ｊにより、ハウス１００に着脱自在に固定することが好ましい。
なお、シート１０を縞状、格子状、水玉状に積層（すなわちハウス１００上に部分的に積層）する場合は、該シート１０を積層した状態での本発明のハウスが、紫外線及び／又は赤外線の１０〜９０％程度、好ましくは３０〜７０％程度遮蔽できるような積層態様とすればよい。また、シート１０の積層は、ハウス１００のどちらか一方の面でもよいし、両面でも良よい。一方の面に積層する場合は、果菜や草花が存在する側と反対側（通常、太陽光線が直射する側）とすることが、特に該シート１０を着脱自在とする場合に好ましい。
【００２０】
図５に示すような、紫外線及び／又は赤外線遮蔽シート１０をハウス１００の一部あるいは全面に設けたものを使用するのは、生育対象の果菜、例えばトマトの実がある程度大きく生育した時点で、太陽光線が強くなり過ぎた場合等において、いわゆる日焼けを防ぐためである。
日焼け防止以外にも、野鳥による食害を防ぐ目的もある。すなわち、カラス等の野鳥は、赤色光、緑色光、青色光の可視光以外に紫外線を感知すると言われており、紫外線を遮蔽してしまうと、遮蔽下に有る物が識別不能になり、生育対象のトマトや果物等の食害を防ぐことができる。
【００２１】
〔実験例１〕
図３（Ａ）に示す本発明の簡易ハウス１００を用いて次の実験を行った。
トマトの種を苗床に蒔き、芽が出て、苗木となった後、畑に移植し、トマトの実が直径１〜２ｃｍに成長した時点で、ハウス１００を図２のようにして被せた。
トマトの実が赤色に色づいた時点で、日射がかなり強くなり日焼けが懸念されたので、ハウス１００のジッパーＪ，Ｊ，Ｊ，Ｊを利用して、太陽光線を（少なくとも紫外線と赤外線を５０％）カットできるシート１０（全面のシートで、該シートにもジッパーＪ′，Ｊ′，Ｊ′，Ｊ′を設けたもの）を、ハウス１００の外側（内側にトマトの実が生育している）に着脱自在に取り付けた。
この結果、本発明のハウス１００（上記のシート１０併用品）を使用しなかったトマトの実と比較して、茎割れや日焼けが全くない、しかも形状も美麗なトマトが実っていることが確認できた。また、本発明のハウス１００（シート１０併用品）使用のトマトと、ハウス１００不使用のトマト（茎割れ及び日焼けによる《目視で表面の９０％以上の》黒化があった）を収穫し、両者を生で食したところ、本発明のハウス１００（シート１０併用品）使用トマトは、不使用トマトに比べて、皮が極めて柔らかで、かつ味はかなり濃厚であった。
【００２２】
また、上記の太陽光線をカットできるシート１０を併用しないハウス１００使用のトマトの実は、茎割れ、皮の柔らかさ、味の濃厚さは、該シート１０併用のハウス１００使用トマトと比べて遜色なかったが、日焼けが生じていたもの、野鳥による食害があったものが、全収穫量の５０％程度あった。
【００２３】
〔実験例２〕
図３（Ａ）に示す本発明の簡易ハウス１００を、図２に示すようにして、小玉スイカの花（３０個）にそれぞれ被せ、該ハウス１００の下方から手を入れ、受粉作業を行った。受粉作業の途上で雨が降ってきたが、受粉作業は滞りなく行うことができた。
上記の花３０個には、問題なく、小玉スイカの実が付き、収穫できるようになるまで、ハウス１００を被せたままとした。また、実の生育状況に応じて、半分の１５個に太陽光線カットシート１０を実験例１と同様に取り付けた。
結果は、シート１０併用のハウス１００使用のものと、シート１０を併用していないハウス１００使用のものとの比較では、食味は同等であったが、シート１０を併用していないハウス１００使用の小玉スイカでは、日焼け及び野鳥の食害（日焼けで傷んだ部分から食害が発生）が１５個中８個あった。
【産業上の利用可能性】
【００２４】
本発明の簡易ハウスは、高価な資材はもとより、人手や期間を要する煩雑な施工、あるいは広い設置面積が不要であるばかりか、高齢者、未熟者や素人でも極めて容易に、かつ必要とするときに何時でも何処にでも、取り付けることができる。
よって、本発明の簡易ハウスによれば、従来は生育途上での上記のような必要項目により市場価格を高騰させていたトマト、カボチャ、茄子、リンゴ、梨、メロン、スイカ、ブドウ等の果菜、あるいは各種の草花の生育において、極めて容易にかつ簡便に有効利用することができ、これら果菜の市場価格を大幅に削減することができ等、産業上における価値は極めて高い。
【符号の説明】
【００２５】
１，１１，２１，３１：合成樹脂シート
１ｐ，１１ｐ，２１ｐ，３１ｐ，４１ｐ：合成樹脂シート１，１１，２１，３１の一端
２，１２，２２，３２，４２：切り込み
３：固定手段
１ｃ，１１ｃ，２１ｃ，３１ｃ，４１ｃ：合成樹脂シート１，１１，２１，３１，４１の中心
【図１】
0006359918.tif 000002
【図２】
0006359918.tif 000003
【図３】
0006359918.tif 000004
【図４】
0006359918.tif 000005
【図５】
0006359918.tif 000006